(57)【要約】      （修正有）【課題】ズボンが分厚くなく、前明き部分の製作に手間が掛からず、表裏のいずれを着用してもファスナーの開閉がし易いリバーシブルズボンを提供する。【解決手段】表裏両面を使用できるリバーシブルズボンであって、ズボンの身頃が一重の布からなり、該ズボンの前明き構造において、布の表面を外側とした状態では上前側の前身頃１の前端１１がズボンの前中心０に位置し、下前側の前身頃２の前端２１がズボンの前中心を越えて位置しており、前中心を越えている下前側の前身頃の延長部分２ｂが上前側の前身頃と重なり合っており、上前側の前身頃の裏面側に見返し布が縫着されており、下前側の延長部分の表面側に別の見返し布が縫着されており、リバーシブルスライダーを具備したスライドファスナーの一対のファスナーテープが、各前身頃の前端から離れた奥側の位置で、それぞれ各見返し布に縫着されている。【選択図】図１
0003184077.tif 000002
【実用新案登録請求の範囲】
【請求項１】
表裏両面を使用できるリバーシブルズボンであって、該ズボンの身頃が一重の布からなり、該ズボンの前明き構造において、前記布の表面を外側とした状態では上前側の前身頃の前端がズボンの前中心に位置し、下前側の前身頃の前端がズボンの前中心を越えて位置しており、該前中心を越えている下前側の前身頃の延長部分が上前側の前身頃と重なり合っており、前記上前側の前身頃の裏面側に見返し布が縫着されており、前記下前側の延長部分の表面側に別の見返し布が縫着されており、リバーシブルスライダーを具備したスライドファスナーの一対のファスナーテープが、前記各前身頃の前端から離れた奥側の位置で、それぞれ前記各見返し布に縫着されていることを特徴とするリバーシブルズボン。
【請求項２】
前記下前側の延長部分の下端部が前中心に向かって傾斜していることを特徴とする請求項１記載のリバーシブルズボン。
【請求項３】
前記ファスナーテープが前記見返し布に縫着されるとともに、前記上前側の前身頃にも縫着されていることを特徴とする請求項１または請求項２に記載のリバーシブルズボン。
【考案の詳細な説明】
【技術分野】
【０００１】
本考案はリバーシブルズボンに関し、特に、ズボンの身頃が一重の布からなるリバーシブルズボンに関するものである。
【背景技術】
【０００２】
従来、表と裏の両方が着用可能なリバーシブルの衣服がある。このような衣服は、表生地と裏生地とが重ねられて、縫い合わされたものが多い。また、表と裏の両面が外面として着用可能な一枚の生地で作られているものがある。
【０００３】
実際には、リバーシブルの衣服は主として上着やコートであり、ズボンでは前明きの構造が複雑になるため従来はあまり見かけない。
【０００４】
実公平７−２６３２５号公報（特許文献１）には、黒色の表布と白色の裏布とを２枚重ねて縫い合せて、裏返しすることにより表裏両面を使用できるリバーシブルのズボンが提案されている。
【０００５】
また、実開昭６４−７２１２号公報（特許文献２）には、両面織物からなるリバーシブルズボンが提案されている。このズボンの前明きにおいては、左布端（左前身頃）を上前（前方、すなわち外側）とし、右布端（右前身頃）を下前（後方、すなわち内側）とした重合状態であり、スライドファスナーのテープの右端縁を上前の左布端縁に、またテープの左端縁を下前の右布端縁にそれぞれ縫着している。
【先行技術文献】
【特許文献】
【０００６】
【特許文献１】実公平７−２６３２５号公報
【特許文献２】実開昭６４−７２１２号公報
【考案の概要】
【考案が解決しようとする課題】
【０００７】
特許文献１に開示されているような２枚重ねのリバーシブルズボンは通常使用されている生地を使用すると分厚くなるので着用感が悪いという問題がある。また、特許文献１に開示されている前明き構造はスライドファスナーと面ファスナーを使用しており、構造が複雑で、縫製に手間が掛かるという問題がある。更に、特許文献１の開示の前明き構造は２枚重ねのリバーシブルズボンにしか適用することができない。
【０００８】
特許文献２に開示されているリバーシブルズボンは両面織物を使用した一重のものであり、分厚くなるという問題は解決している。しかし、特許文献２のリバーシブルズボンの前明きにおいては、スライドファスナーの引手が、通常のズボンと異なって、上前の左布端の裏側に位置するので、ファスナーの開閉が非常に行い難いという問題がある。
【０００９】
なお、通常のズボンでは、スライドファスナーの引手は下前側の右布端の表側に位置するので、ファスナーの開閉を行い易い。
【００１０】
更に、特許文献２のリバーシブルズボンは胴回り方向に引っ張り力が掛かった場合（例えば、食事により腹部が膨れた場合など）、前明き部分が左右に引っ張られて、ファスナーが外部から見える状態になってしまうという問題がある。
【００１１】
本考案は、このような従来の問題を解決して、ズボンが分厚くなく、前明き部分の製作に手間が掛からず、表裏のいずれを着用してもファスナーの開閉が行いやすく、胴回り方向に引っ張り力が掛かった場合でもファスナーが外部から見えたりしないようなリバーシブルズボンを提供することを目的とする。
【課題を解決するための手段】
【００１２】
本考案によれば、表裏両面を使用できるリバーシブルズボンであって、該ズボンの身頃が一重の布からなり、該ズボンの前明き構造において、前記布の表面を外側とした状態では上前側の前身頃の前端がズボンの前中心に位置し、下前側の前身頃の前端がズボンの前中心を越えて位置しており、該前中心を越えている下前側の前身頃の延長部分が上前側の前身頃と重なり合っており、前記上前側の前身頃の裏面側に見返し布が縫着されており、前記下前側の延長部分の表面側に別の見返し布が縫着されており、リバーシブルスライダーを具備したスライドファスナーの一対のファスナーテープが、前記各前身頃の前端から離れた奥側の位置で、それぞれ前記各見返し布に縫着されていることを特徴とするリバーシブルズボンにより前記目的を達成する。
【００１３】
なお、本考案のリバーシブルズボンは左右の前身頃のいずれが上前側であってもよい。なお、一般的には男性用ズボンは左上前、女性用ズボンは右上前とすることが多く、ジーンズなどは男女とも左上前が多く見られる。
【００１４】
下前側の延長部分の下端部が前中心に向かって直線状またはカーブを描いて傾斜していることが好ましい。
【００１５】
また、前明き部分において外部から見えるステッチはシングルステッチでもダブルステッチでもよい。なお、ダブルステッチの場合は片方のファスナーテープが見返し布に縫着されるとともに、前身頃にも縫着される。
【考案の効果】
【００１６】
本考案によれば、リバーシブルズボンの身頃が一重の布からなるので、分厚くならず、着用感がよい。
【００１７】
本考案のリバーシブルズボンの前明き構造では、布の表面を外側とした状態では上前側の前身頃の前端がズボンの前中心に位置し、下前側の前身頃の前端がズボンの前中心を越えて位置しており、この前中心を越えている下前側の前身頃の延長部分が上前側の前身頃と重なり合っており、上前側の裏面側に見返し布が縫着されており、下前側の延長部分の表面側に別の見返し布が縫着されており、各見返し布にファスナーテープが縫着されている。従って、このような前明き構造は、従来のズボンの前明きを縫製するのと同様の手順で縫製でき、手間が余分に掛かることがない。
【００１８】
すなわち、上前側の前身頃は従来のズボンと同じ形状に裁断し、下前側となる前身頃はその前明き部分に延長部分を形成した状態で裁断して、上前側の裏面側に見返し布を縫着し、下前側の延長部分の表面側に別の見返し布を縫着し、各見返し布にファスナーテープを縫着すればよい。
【００１９】
更に、本考案によれば、リバーシブルスライダーを具備したスライドファスナーの一対のファスナーテープを、各前身頃の前端から離れた奥側の位置で、上前側の前身頃の裏面の見返し布と、下前側の前身頃延長部分の表面側の見返し布とに、それぞれ縫着しているので、スライドファスナーの引手を下前側の前身頃の表側に位置させることができる。そのため、ファスナーの開閉を行い易い。
【００２０】
また、本考案のリバーシブルズボンの胴回り方向に引っ張り力が作用した場合でも、それによって前明き部分が開くことがないので、ファスナーが外部から見える状態にならない。
【００２１】
また、本考案のリバーシブルズボンの前明き構造では、布の表面を外側とした状態では上前側の前身頃の前端がズボンの前中心に位置しているので、外観は通常のズボンと同じであり、違和感が生じない。
【図面の簡単な説明】
【００２２】
【図１】図１は本考案のリバーシブルズボンの一実施例の正面図であり、図１（ａ）は左前身頃を上前としたリバーシブルズボンの表面側の上部を示す部分正面図であり、図１（ｂ）は図１（ａ）に示したリバーシブルズボンを裏返した状態のズボン上部を示す部分正面図である。
【図２】図１で示したリバーシブルズボンの左右前身頃用の裁断した状態の布の正面図（下部を省略して、上部を示している）および左右の見返し布の正面である。
【図３】図１に示したリバーシブルズボンの前明きの構造を示すために模式的に描いた横断面図である。
【図４】本考案のリバーシブルズボンの別の実施例の正面図であり、図４（ａ）は右前身頃を上前としたリバーシブルズボンの表面側の上部を示す部分正面図であり、図４（ｂ）は図４（ａ）に示したリバーシブルズボンを裏返した状態のズボン上部を示す部分正面図である。
【図５】図４に示したリバーシブルズボンの前明きの構造を示すために模式的に描いた、図３と同様の、横断面図である。
【図６】本考案のリバーシブルズボンの更に別の実施例の正面図であり、図６（ａ）は左前身頃を上前としたリバーシブルズボンの表面側の上部を示す部分正面図であり、図６（ｂ）は図６（ａ）に示したリバーシブルズボンを裏返した状態のズボン上部を示す部分正面図である。
【図７】図６に示したリバーシブルズボンの前明きの構造を示すために模式的に描いた、図３と同様の、横断面である。
【考案を実施するための形態】
【００２３】
以下、図面に示した実施例に基いて本考案を詳細に説明する。本考案のズボンは、１枚の生地が表と裏の両面が外面として着用可能である布を使用した一重仕立てのリバーシブルズボンである。なお、本考案においては、布の両面のうち、どちらか一方の面を表面（おもてめん）とし、反対側の面を裏面（うらめん）として説明する。
【００２４】
図１に示した実施例のリバーシブルズボンにおいて、布の表面を外側とした状態を図１（ａ）に示し、ズボンを裏返して布の裏面を外側とした状態を図１（ｂ）に示している。
【００２５】
この実施例では図１（ａ）に示すように、上前側の前身頃１はズボンの左前身頃であり、下前側の前身頃２はズボンの右前身頃である。図１（ｂ）に示すように、ズボンを裏返した状態においては、図１（ａ）において下前側の前身頃の裏面２′が外側になって、左側に位置し、図１（ａ）において上前側の前身頃の裏面１′が右側に位置することになる。ズボンを裏返した状態においても、左側の前身頃が上前になる。
【００２６】
図１（ａ）に示すように、布の表面を外側とした状態では前明き部分の外観は通常のズボンと同じであり、上前側の前身頃１の前端１１がズボンの前中心０に位置しており、これに対して下前側の前身頃２には前明き部分においてズボンの前中心０を越えて延長された延長部分２ｂが形成されており、前中心０を越えている下前側の前身頃２の延長部分２ｂと上前側の前身頃１とが重なり合って、前明き部分を構成している。
【００２７】
一方、図１（ｂ）に示すように、ズボンを裏返した状態では前明き部分の外観は通常のズボンと異なっており、上前となる前身頃２′の延長部分２ｂの前端２１がズボンの前中心０を越えて位置している。
【００２８】
なお、図１において、点線はステッチを示しており、各ステッチがどのように縫製されたものであるかについては、後で図３に基いて説明する。
【００２９】
図２は図１で示したリバーシブルズボンの左右前身頃用の裁断した状態の布１、２および左右の見返し布３、４を示しており、各図において外側の輪郭線と内側の実線との間の部分１ａ、２ａ、３ａ、４ａは縫い代となる部分である。
【００３０】
図２に示すように、上前側の前身頃１の形状は通常のズボンと同様であり、下前側の前身頃２には前明きとなる箇所に延長部分２ｂが身頃本体に連続して形成されている。見返し布３は上前側の前身頃１の裏面側に縫着されるものであり、別の見返し布４は下前側の延長部分２ｂの表面側に縫着されるものである。
【００３１】
図２において、上前側の前身頃１における２点鎖線は仮想線で、見返し布３が前身頃１の裏面で縫着される箇所を示しており、下前側の前身頃２中における１点鎖線は前中心線０を示し、図２において前中心線０より右側の部分が延長部分２ｂである。
【００３２】
図３は図１に示したリバーシブルズボンの前明きの構造を示すために模式的に描いた横断面図であり、ズボンを着用した状態で前明きを上方向から見た横断面図として描いている。
【００３３】
本考案では、前明きにリバーシブル用ファスナー、すなわち一枚の引き手が回転レールに沿って移動でき、表裏いずれからも開閉できるリバーシブルスライダーを具備したスライドファスナーを使用しており、一対のファスナーテープ５１、５２が、各前身頃の前端１１、２１から離れた奥側の位置で、それぞれ各見返し布３、４に縫着されている。
【００３４】
図３に示した前明き構造を作る場合、次のような手順で縫製する。まず、前身頃１、２のファスナー明き止まりｍから股下ｎまでを地縫いする（図２参照）。上前側の前身頃１の表側に見返し布３を載せて、前端側（図２では見返し３の長い辺側）を縫着（縫目６１）する。下前側の前身頃２の延長部分２ｂの裏側に見返し布４を置いて、前端側（図２では見返し４の短い辺側）を縫着（縫目７１）する。見返し布３を前身頃１の裏面側に、見返し布４を前身頃２の表面側にそれぞれ返して、各前身頃の前端にアイロンをかけて整え、その後、それぞれの前端に前ステッチ６２、７２を掛ける（すなわち、ミシンを掛けること）。
【００３５】
スライドファスナーは見返し布３と見返し布４との間に配置されるが、各前身頃の前端から見てファスナーエレメント５３よりも奥側のファスナーテープ５１、５２がそれぞれ見返し布３、４に縫着される。すなわち、図３に示すように、見返し布３にファスナーテープ５１を縫着し（縫目６３、６４）、見返し布４にファスナーテープ５２を縫着する（縫目７３、７４）。次に、見返し布３、４の縫い代を折り曲げて、アイロンをかけて整え、見返しの押さえステッチ６５、７５により前身頃１、２に縫着する。ファスナー明き止まり位置に横止めステッチを掛ける。
【００３６】
このように縫製すると、図１（ａ）に示すように、ズボンの表側ではステッチ６２とステッチ６５が見え、裏返した状態ではステッチ７２とステッチ７５が見える。
【００３７】
図４および図５は本考案のリバーシブルズボンの別の実施例を示している。この実施例においては、上前側の前身頃１が右前身頃であり、下前側の前身頃２が左前身頃である点が図１に示した第１実施例と異なっている。
【００３８】
また、図１に示した第１実施例では下前側の延長部分２ｂの下端部が前中心に向かって直線状に傾斜しているが、図４に示した第２実施例では図４（ｂ）に示すように、下前側の延長部分２ｂの下端部はカーブを描いて前中心に向かっている点で異なっている。
【００３９】
その他の点は第１実施例と同様であり、同様の部材に同様の符号を付した。
【００４０】
図６および図７は本考案のリバーシブルズボンの更に別の実施例を示している。この実施例においては、第１実施例と同様に上前側の前身頃１が左前身頃であり、下前側の前身頃２が右前身頃である。この第３実施例が第１実施例と異なっている点は、第１実施例ではシングルステッチであるのに対して、第３実施例ではダブルステッチである点である。
【００４１】
すなわち、上前側の前身頃１においては、前端側にステッチ６２を掛けた後、ファスナーテープ５１をステッチ６３により見返し布３に縫着し、見返し布３を前身頃１にステッチ６５で縫着し、そしてステッチ６４でファスナーテープ５１を見返し布３および前身頃１に縫着する。
【００４２】
下前側の前身頃２においては、前端側にステッチ７２を掛け、それに平行してステッチ７６を掛ける。ファスナーテープ５２は第１実施例と同様に見返し布４に縫着される（縫目７３、７４）。
【００４３】
このように縫製すると、図６（ａ）に示すように、ズボンの表側ではステッチ６２とダブルステッチ６４、６５が見え、裏返した状態ではダブルステッチ７２、７６とステッチ７５が見える。
【００４４】
その他の点は第１実施例と同様であり、同様の部材に同様の符号を付した。
【００４５】
なお、本考案のリバーシブルズボンは図示した実施例に限定されず、上前側の前身頃が左右の前身頃のいずれであってもよく、下前側の延長部分の下端部が前中心に向かう傾斜が直線状でもカーブでもよく、外から見えるステッチがシングルステッチでもダブルステッチでもよいので、これらを適宜組合すことができる。また、身頃となる布は両面が外面として使用できるものであるので、どちらの面を本考案における表面（おもてめん）として利用するかは任意である。
【符号の説明】
【００４６】
０    前中心
１    上前側の前身頃
２    下前側の前身頃
２ｂ    下前側の前身頃の延長部分
３    見返し布
４    見返し布
１１    上前側の前身頃側の前端
２１    下前側の前身頃側の前端
５１、５２    ファスナーテープ
５３    ファスナーエレメント
ｍ    ファスナー明き止まり
ｎ    股下
６２、６５    上前側の前身頃側のステッチ
７２、７５    下前側の前身頃側のステッチ
【図１】
0003184077.tif 000003
【図２】
0003184077.tif 000004
【図３】
0003184077.tif 000005
【図４】
0003184077.tif 000006
【図５】
0003184077.tif 000007
【図６】
0003184077.tif 000008
【図７】
0003184077.tif 000009